(57)【要約】【課題】原稿の画像に適切なウォーターマークを忘れずに合成できる画像形成装置を提供する。【解決手段】（１）に示す管理者ロック設定画面９０から管理者が「ウォーターマーク」９１ｈに「レ」を設定すると、（２）に示すウォーターマーク簡易設定ロック状態表示画面１００がグレー表示され、「ロック設定」１０４に「鍵」マークが表示され、ユーザーはウォーターマーク情報の設定が不可となる。また、管理者が「ウォーターマーク」９１ｈに「  」を設定すると、ウォーターマーク簡易設定ロック状態表示画面１００のグレー表示が消去され、「ロック設定」１０４の「鍵」マークが消去され、ユーザーはウォーターマーク情報の設定が可能となる。管理者ロック設定画面９０は、管理者の管理者ＩＤ及びパスワードが認証されたときに表示される画面であるので、管理者によりロック設定が行われるとユーザーによるウォーターマーク情報の設定を不可にすることができる。【選択図】図５
2015084498.tif 000002
【特許請求の範囲】
【請求項１】
原稿とウォーターマークを合成して印刷が可能な画像形成装置であって、
ウォーターマーク情報を設定するウォーターマーク情報設定手段と、
前記ウォーターマーク情報の設定を変更不可能にロックするロック設定手段と、
前記ウォーターマーク情報の設定がロックされているときにロック状態を表示するロック状態表示手段と
を備えることを特徴とする画像形成装置。
【請求項２】
前記ウォーターマーク情報の設定がロックされているときに前記ウォーターマーク情報が設定される画面の背景を変更することを特徴とする請求項１に記載の画像形成装置。
【請求項３】
前記背景は、グレー表示、多様な色、メッシュ、反転、または模様に変更されることを特徴とする請求項２に記載の画像形成装置。
【請求項４】
前記ウォーターマーク情報の設定がロックされているときに前記ウォーターマーク情報が設定される前記画面にロック設定されていることを示すマークを表示することを特徴とする請求項１から請求項３のいずれか１項に記載の画像形成装置。
【請求項５】
前記マークは、鍵形状であることを特徴とする請求項４に記載の画像形成装置。
【請求項６】
前記ウォーターマーク情報のロックを解除するロック解除手段を備え、
前記ウォーターマーク情報の設定のロックが解除されているときに前記ウォーターマーク情報が設定される前記画面の変更された前記背景を元に戻し、また前記マークが消去されることを特徴とする請求項４または請求項５に記載の画像形成装置。
【請求項７】
前記ウォーターマーク情報により前記ウォーターマークのプレビューを表示するウォーターマークプレビュー表示手段を備えることを特徴とする請求項１から請求項６のいずれか１項に記載の画像形成装置。
【発明の詳細な説明】
【技術分野】
【０００１】
本発明は、画像に機密または著作権者などの情報を埋め込む電子透かし（以下、「ウォーターマーク」という）機能を備える画像形成装置に関する。
【背景技術】
【０００２】
最近の技術によれば、プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、ウォーターマーク機能を備えている。画像形成装置のウォーターマーク機能とは、画像形成装置が読み取った原稿に、テキストやスタンプなどのウォーターマークの画像を重ねる（以下、「合成する」という）機能である。ユーザーは、テキストやスタンプなどのウォーターマークを指定して画像形成装置に原稿の印刷要求を行うと、画像形成装置は、原稿の画像にユーザーが指定したテキストやスタンプなどのウォーターマークの画像を合成して印刷する。例えば、特許文献１の画像形成装置では、スタンプ（付加情報）を原稿と合成するオーバーレイ（ウォーターマーク）機能を備え、画面からオーバーレイ印刷を行うか否か、スタンプデータが設定されているフォームファイル、スタンプを原稿に付加するときのレイアウトなどの情報を指定することができる。また、スタンプがオーバーレイ機能により印刷されたときのスタンプのイメージ（以下、「プレビュー」という）を画面に表示することで、ユーザーは実際に原稿の印刷を行う前にスタンプの印刷イメージを確認することができる。
【先行技術文献】
【特許文献】
【０００３】
【特許文献１】特開２００９−１８８８１６号公報
【発明の概要】
【発明が解決しようとする課題】
【０００４】
しかし、特許文献１の画像形成装置では、ユーザーが画面から原稿と合成するスタンプ（ウォーターマーク）を指定してオーバーレイ（ウォーターマーク）の指定を行うので、ユーザーがオーバーレイの指定を忘れて原稿を印刷すると原稿に付加すべきスタンプが付加されない、または適切でないスタンプを付加して原稿を印刷するという問題があった。
【０００５】
本発明はこのような状況に鑑みてなされたものであり、上記課題を解決できる画像形成装置を提供することを目的とする。
【課題を解決するための手段】
【０００６】
本発明の画像形成装置は、原稿とウォーターマークを合成して印刷が可能な画像形成装置であって、ウォーターマーク情報を設定するウォーターマーク情報設定手段と、前記ウォーターマーク情報の設定を変更不可能にロックするロック設定手段と、前記ウォーターマーク情報の設定がロックされているときにロック状態を表示するロック状態表示手段とを備えることを特徴としている。
また、本発明の画像形成装置は、前記ウォーターマーク情報の設定がロックされているときに前記ウォーターマーク情報が設定される画面の背景を変更することを特徴としている。
また、本発明の画像形成装置の前記背景は、グレー表示、多様な色、メッシュ、反転、または模様に変更されることを特徴としている。
また、本発明の画像形成装置は、前記ウォーターマーク情報の設定がロックされているときに前記ウォーターマーク情報が設定される前記画面にロック設定されていることを示すマークを表示することを特徴としている。
また、本発明の画像形成装置の前記マークは、鍵形状であることを特徴としている。
また、本発明の画像形成装置は、前記ウォーターマーク情報のロックを解除するロック解除手段を備え、前記ウォーターマーク情報の設定のロックが解除されているときに前記ウォーターマーク情報が設定される前記画面の変更された前記背景を元に戻し、また前記マークが消去されることを特徴としている。
また、本発明の画像形成装置は、前記ウォーターマーク情報により前記ウォーターマークのプレビューを表示するウォーターマークプレビュー表示手段を備えることを特徴としている。
【発明の効果】
【０００７】
本発明は、原稿の画像に適切なウォーターマークの画像を忘れずに合成できる画像形成装置を提供する。
【図面の簡単な説明】
【０００８】
【図１】本発明の実施形態に係る画像形成装置の外観斜視図である。
【図２】本発明の実施形態に係る画像形成装置の内部構成を示す断面概略図である。
【図３】本発明の実施形態に係る画像形成装置の機能構成を示すブロック図である。
【図４】本発明の実施形態に係るウォーターマーク設定画面の例を示す図である。
【図５】本発明の実施形態に係る管理者ロック設定画面とウォーターマーク簡易設定ロック状態表示画面の例を示す図である。
【発明を実施するための形態】
【０００９】
以下、本発明を実施するための形態（以下、「実施形態」という）を、図面を参照して説明する。実施形態の画像形成装置１は、プリンター、多機能プリンター、多機能周辺装置、又は複合機等の画像を形成する画像形成装置であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。
【００１０】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成の開始を指示するスタートボタン、画像形成の中止を指示するストップ／クリアボタン、画像形成装置１の各種設定をデフォルト状態にする際に使用するリセットボタン、テンキー等が設けられている。
【００１１】
原稿読取部２は、図２を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳ（manuscript）の搬送方向に移動可能に構成されている。原稿読取スリット２３は、原稿給送部３による原稿ＭＳの搬送方向と直交する方向に形成されたスリットである。
【００１２】
原稿給送部３は、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１３】
原稿載置部３１に原稿ＭＳがセットされていない状態や、原稿給送部３（プラテンカバー）が開いた開状態で、操作部５の操作ボタン５２によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に副走査方向基準線Ｂから走査しながら読み取って画像データを取得し、取得した画像データを本体部４内にある制御部７（図３）に出力する。
【００１４】
原稿載置部３１に原稿ＭＳがセットされた状態で、操作部５の操作ボタン５２によって原稿ＭＳの読み取りが指示されると、原稿給送部３により搬送される原稿ＭＳが読み取られる。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。また、スキャナー２１は、原稿給送部３により搬送された原稿ＭＳを読み取る場合、原稿読取スリット２３と対向する位置に移動され、原稿読取スリット２３を介し、原稿給送部３による搬送動作と同期して原稿ＭＳを読み取って画像データを取得し、取得した画像データを本体部４内にある制御部７（図３）に出力する。
【００１５】
本体部４は、記録部６を備えると共に、給紙部４１と、給紙ローラー４２と、用紙搬送路４３と、レジストローラー４４と、排出ローラー４５とを備えている。給紙部４１は、複数枚の用紙Ｐが収納される給紙カセットであり、給紙ローラー４２は、給紙部４１から用紙Ｐを１枚ずつ用紙搬送路４３に繰り出す。給紙ローラー４２によって用紙搬送路４３に繰り出された用紙Ｐは、レジストローラー４４によって記録部６に搬送される。レジストローラー４４は、給紙カセットから供給される用紙Ｐの先端と原稿から読み取った画像の先端を合わせるように用紙Ｐを搬送する。そして、記録部６によって記録が施された用紙Ｐは、排出ローラー４５によって、原稿読取部２と本体部４との間に形成された排出空間４６に排出される。このように、給紙ローラー４２、レジストローラー４４及び排出ローラー４５は、用紙Ｐの搬送部として機能する。
【００１６】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を用紙Ｐに転写させる。定着部６６は、転写部６５によってトナー像が転写された用紙Ｐを加熱してトナー像を用紙Ｐに定着させる。そして感光体ドラム６１上に残存するトナーは、クリーニング部６７によって除去される。
【００１７】
図３には、画像形成装置１の機能構成を示すブロック図が示されている。上述の原稿読取部２、原稿給送部３、搬送部（給紙ローラー４２、レジストローラー４４、排出ローラー４５）、操作部５、記録部６、記憶部８及び通信部９は、制御部７に接続され、制御部７によって動作制御される。制御部７は、印刷実行処理部７１を備えている。
【００１８】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。印刷実行処理部７１は、制御部７からの指令により印刷動作を実行する。
【００１９】
記憶部８は、半導体メモリーやＨＤＤ（Hard Disk Drive）等の記憶手段であり、スキャナー２１によって読み取られた原稿ＭＳの画像データが記憶されると共に、各種の管理情報や設定情報が記憶されている。
【００２０】
通信部９は、ＬＡＮ等のネットワーク１０を介して、ＰＣ（パーソナルコンピュータ）等の周辺機器１１や、他の画像形成装置１ａとの間で各種データを送受信する機能を有する。また、通信部９は、ネットワーク１０及びルーター１２を介してインターネット１３に接続可能に構成されている。そして通信部９は、インターネット１３に接続されている各種通信機器との間で各種データを送受信する機能を有する。
【００２１】
次に、図４に示すウォーターマーク設定画面８０、図５（１）に示す管理者ロック設定画面９０、及び図５（２）に示すウォーターマーク簡易設定ロック状態表示画面１００について説明する。ウォーターマーク設定画面８０は、ウォーターマーク情報を設定する画面である。管理者ロック設定画面９０は、管理者がウォーターマークなどに対するロック設定とロック解除を行う画面である。ウォーターマーク簡易設定ロック状態表示画面１００は、ウォーターマークの簡易設定とロック設定とロック解除の表示を行う画面である。ウォーターマークの設定を行うときにユーザーまたは管理者が液晶表示部５１のタッチパネルを操作してウォーターマーク設定画面８０を表示して設定を行う。また、管理者が管理者ＩＤ及びパスワードを液晶表示部５１のタッチパネルから入力して認証されたときに、管理者ロック設定画面９０が液晶表示部５１に表示可能となり、管理者はウォーターマークなどの機能に対するロック設定または解除を行う。また、ウォーターマークの簡易設定を行うとき、またはウォーターマークのロック状態を確認するときに、ユーザーまたは管理者が液晶表示部５１のタッチパネルを操作してウォーターマーク簡易設定ロック状態表示画面１００を表示して設定または確認を行う。
【００２２】
図４に示すウォーターマーク設定画面８０は、「ウォーターマーク選択」８１、「ウォーターマークテキスト」８２、「ウォーターマークオプション」８３、「ウォーターマーク伸縮回転」８４、「ウォーターマーク保存名」８６、及び「ページ選択」８７の設定項目、「ウォーターマークプレビュー」８５の表示エリア、「ＯＫ」ボタン８８、及び「キャンセル」ボタン８９を備えている。
【００２３】
「ウォーターマーク選択」８１は、ユーザーによるウォーターマークの選択、登録されているウォーターマークの新規表示、及び登録されているウォーターマークの削除を行う。「ウォーターマーク一覧」８１ａは、画像形成装置１に登録されているウォーターマークを一覧で表示し、「ウォーターマーク一覧」８１ａから選択されたウォーターマークは「ウォーターマークプレビュー」８５に表示される。「新規」ボタン８１ｂは、「ウォーターマーク一覧」８１ａの表示欄を新規に表示するときに押下するボタンである。「新規」ボタン８１ｂを押下すると、記憶部８に保存されているウォーターマークが「ウォーターマーク一覧」８１ａの表示欄に表示される。「削除」ボタン８１ｃは、「ウォーターマーク一覧」８１ａの表示欄から選択されたウォーターマークを削除するときに押下するボタンである。「ウォーターマーク一覧」８１ａからウォーターマークを選択して「削除」ボタン８１ｃを押下すると、選択されたウォーターマークは「ウォーターマーク一覧」８１ａから削除され、また選択されたウォーターマークは記憶部８から削除される。
【００２４】
「ウォーターマークテキスト」８２は、ユーザーが「ウォーターマーク一覧」８１ａからウォーターマークを選択するのでなく、ユーザーによりウォーターマークテキストの設定を行う。「ウォーターマークテキスト」８２ａは、ウォーターマークテキストを入力する。「フォント」８２ｂ、「サイズ」８２ｃ、「太字」８２ｄ、「斜体」８２ｅ、及び「下線」８２ｆは、「ウォーターマークテキスト」８２ａに入力されたウォーターマークテキストの書式を設定する。「カウント」８２ｇは、「ウォーターマークテキスト」８２ａに入力されたウォーターマークテキストが印刷されるウォーターマークテキストの上端の印刷用紙上端からの縦幅位置を設定する。「スペース」８２ｈは、「ウォーターマークテキスト」８２ａに入力されたウォーターマークテキストが印刷されるウォーターマークテキストの左端の印刷用紙左端からの横幅位置を設定する。「ウォーターマークテキスト」８２ａから入力されたウォーターマークは、ウォーターマーク設定画面８０の設定値に基づいて「ウォーターマークプレビュー」８５に表示される。
【００２５】
「ウォーターマークオプション」８３は、ウォーターマークのオプション設定を行う。「フォルダーパス」８３ａは、「ウォーターマーク一覧」８１ａからウォーターマークを選択するのでなく、またユーザーによりウォーターマークテキストの入力を行わないときに、ウォーターマークが格納されているウォーターマークファイルのフォルダーパスを「参照」８３ｂを用いて設定する。「色」８３ｃは、ウォーターマークの色を設定する。「スケーリング」８３ｄは、ウォーターマークのサイズ（大きさ）を設定する。「自動」８３ｅに「レ」が設定されると、ウォーターマークのサイズが自動調整され、「自動」８３ｅに「  」が設定されると、ウォーターマークは「スケーリング」８３ｄに設定されたサイズに調整される。「不透明度」８３ｆは、ウォーターマークの印刷における透明トナーの濃さ（不透明度）を設定する。「フォルダーパス」８３ａから設定されたウォーターマークは、ウォーターマーク設定画面８０の設定値に基づいて「ウォーターマークプレビュー」８５に表示される。
【００２６】
「ウォーターマーク伸縮回転」８４は、ウォーターマークの伸縮と傾き、及び回転の設定を行う。「水平伸縮」８４ａは、ウォーターマークの水平方向の伸縮度を設定する。「垂直伸縮」８４ｂは、ウォーターマークの垂直方向の伸縮度を設定する。「傾き」８４ｃは、ウォーターマークを回転する角度を設定する。「中心回転」８４ｄに「レ」が設定されると、ウォーターマークのテキストまたはマークの中心を軸として「傾き」８４ｃに設定された角度に回転され、「中心回転」８４ｄに「  」が設定されると、ウォーターマークのテキストまたはマークの先端を軸として「傾き」８４ｃに設定された角度に回転される。
【００２７】
「ウォーターマークプレビュー」８５は、ウォーターマークのプレビューを表示する表示エリアである。「ウォーターマーク選択」８１、「ウォーターマークテキスト」８２、「ウォーターマークオプション」８３、及び「ウォーターマーク伸縮回転」８４の設定値を変えることによって「ウォーターマークプレビュー」８５に表示されるウォーターマークのプレビューが変化する。また、「ウォーターマーク選択」８１、「ウォーターマークテキスト」８２、「ウォーターマークオプション」８３、及び「ウォーターマーク伸縮回転」８４に何も設定されていないときには、「ウォーターマークプレビュー」８５にウォーターマークのプレビューは表示されない。
【００２８】
「ウォーターマーク保存名」８６は、「ウォーターマークプレビュー」８５に表示されているウォーターマークを記憶部８に保存するときのウォーターマークの保存名（登録名）を「ウォーターマーク保存名」８６ａの入力エリアに入力する。「保存」８６ｂを押下すると、「ウォーターマークプレビュー」８５に表示されたウォーターマークが「ウォーターマーク保存名」８６ａに入力された保存名（登録名）で記憶部８に保存される。
【００２９】
「ページ選択」８７は、ウォーターマークを印刷するページを設定する。「ページパターン一覧」８７ａは、「全ページ」、「先頭ページ」、「先頭ページを除く全ページ」、または「指定されたページ」のいずれかのページパターンを表示する。「ページパターン一覧」８７ａにおいて、「指定されたページ」が設定されたときには、「ページ指定」８７ｂに直接ページ番号を入力する。「表紙カバー印刷」８７ｃに「レ」が設定されると、印刷用紙の表紙カバーにウォーターマークが印刷され、「表紙カバー印刷」８７ｃに「  」が設定されると、印刷用紙の表紙カバーにウォーターマークは印刷されない。
【００３０】
「ＯＫ」ボタン８８は、設定項目の設定値を記憶部８に保存するときに押下するボタンである。「ＯＫ」ボタン８８を押下すると、ウォーターマーク設定画面８０の設定値が記憶部８に保存される。
【００３１】
「キャンセル」ボタン８９は、ウォーターマーク設定画面８０の設定値をキャンセルするときに押下するボタンである。「キャンセル」ボタン８９を押下すると、ウォーターマーク設定画面８０に設定されている設定値が取り消され、前回の設定値に戻る。
【００３２】
図５（１）に示す管理者ロック設定画面９０は、「ロック」９１の設定項目、「ＯＫ」ボタン９２、及び「キャンセル」ボタン９３を備えている。
【００３３】
「ロック」９１は、「モノクロモード」９１ａ、「エコポイント」９１ｂ、「両面印刷」９１ｃ、「ページ集約」９１ｄ、「アプリケーション情報」９１ｅ、「インデックスラベルセット」９１ｆ、「セキュリティセット」９１ｇ、及び「ウォーターマーク」９１ｈのロック設定とロック解除を設定する。管理者が管理者ＩＤ及びパスワードを液晶表示部５１のタッチパネルから入力して認証されたときに、管理者ロック設定画面９０から「ロック」９１のロック設定とロック解除を設定することができる。管理者が「ウォーターマーク」９１ｈに「レ」を設定すると、ユーザーはウォーターマーク設定画面８０及びウォーターマーク簡易設定ロック状態表示画面１００からウォーターマーク情報の設定が不可となり、ウォーターマーク設定画面８０及びウォーターマーク簡易設定ロック状態表示画面１００の背景がグレー表示される。また、管理者が「ウォーターマーク」９１ｈに「  」を設定すると、ユーザーはウォーターマーク設定画面８０及びウォーターマーク簡易設定ロック状態表示画面１００からウォーターマーク情報の設定が可能となり、ウォーターマーク設定画面８０及びウォーターマーク簡易設定ロック状態表示画面１００の背景のグレー表示が消去される。
【００３４】
「ＯＫ」ボタン９２は、管理者ロック設定画面９０の設定を記憶部８に保存するときに押下するボタンである。「ＯＫ」ボタン９２を押下すると、管理者ロック設定画面９０の設定項目が記憶部８に保存される。
【００３５】
「キャンセル」ボタン９３は、管理者ロック設定画面９０の設定をキャンセルするときに押下するボタンである。「キャンセル」ボタン９３を押下すると、管理者ロック設定画面９０に設定されているロック設定またはロック解除が取り消され、前回の状態に戻る。
【００３６】
図５（２）に示すウォーターマーク簡易設定ロック状態表示画面１００は、「ウォーターマーク選択」１０１と「ページ選択」１０３の設定項目、「ウォーターマークプレビュー」１０２と「ロック設定」１０４の表示エリア、「ＯＫ」ボタン１０５、及び「キャンセル」ボタン１０６を備えている。ウォーターマーク簡易設定ロック状態表示画面１００は、ウォーターマーク設定画面８０の代わりに簡易に設定することができるメニュー画面である。
【００３７】
「ウォーターマーク選択」１０１は、ユーザーによるウォーターマークの選択を行う。「ウォーターマークプレビュー」１０２は、「ウォーターマーク選択」１０１から選択されたウォーターマークのプレビューを表示する。「追加」ボタン１０２ａは、「ウォーターマークプレビュー」１０２に表示されているウォーターマークを登録するときに押下するボタンである。「追加」ボタン１０２ａを押下すると、「ウォーターマーク選択」１０１で選択され、「ウォーターマークプレビュー」１０２に表示されているウォーターマークを記憶部８に保存する。「編集」ボタン１０２ｂは、「ウォーターマークプレビュー」１０２に表示されているウォーターマークを編集するときに押下するボタンである。「編集」ボタン１０２ｂを押下すると、「ウォーターマーク選択」１０１で選択され、「ウォーターマークプレビュー」１０２に表示されているウォーターマークの編集が可能となる。「削除」ボタン１０２ｃは、「ウォーターマークプレビュー」１０２に表示されているウォーターマークを削除するときに押下するボタンである。「削除」ボタン１０２ｃを押下すると、「ウォーターマーク選択」１０１で選択され、「ウォーターマークプレビュー」１０２に表示されているウォーターマークを記憶部８から削除する。
【００３８】
「ページ選択」１０３は、ウォーターマークを印刷するページを設定する。「ページ選択」１０３は、「全ページ」、「先頭ページ」、「先頭ページを除く全ページ」、または「指定されたページ」のいずれかのページパターンの中から設定する。「ページ選択」１０３において、「指定されたページ」が設定されたときには、「ページ指定」１０３ａに直接ページ番号を入力する。「表紙カバー印刷」１０３ｂに「レ」が設定されると、印刷用紙の表紙カバーにウォーターマークが印刷され、「表紙カバー印刷」１０３ｂに「  」が設定されると、印刷用紙の表紙カバーにウォーターマークは印刷されない。
【００３９】
「ロック設定」１０４は、管理者がウォーターマークにロック設定を行っているときに表示される「鍵」マークである。管理者が管理者ロック設定画面９０の「ウォーターマーク」９１ｈに「レ」を設定すると、「ロック設定」１０４の「鍵」マークが表示され、ウォーターマーク簡易設定ロック状態表示画面１００からの設定が不可となり、ウォーターマーク簡易設定ロック状態表示画面１００の背景が図５（２）に示すようにグレー表示される。管理者が管理者ロック設定画面９０の「ウォーターマーク」９１ｈに「  」を設定すると、「ロック設定」１０４の「鍵」マークが消去され、ウォーターマーク簡易設定ロック状態表示画面１００からの設定が可能となり、ウォーターマーク簡易設定ロック状態表示画面１００の背景のグレー表示が消去される。
【００４０】
「ＯＫ」ボタン１０５は、ウォーターマーク簡易設定ロック状態表示画面１００の設定を記憶部８に保存するときに押下するボタンである。「ＯＫ」ボタン１０５を押下すると、ウォーターマーク簡易設定ロック状態表示画面１００の設定項目が記憶部８に保存される。
【００４１】
「キャンセル」ボタン１０６は、ウォーターマーク簡易設定ロック状態表示画面１００の設定値をキャンセルするときに押下するボタンである。「キャンセル」ボタン１０６を押下すると、ウォーターマーク簡易設定ロック状態表示画面１００に設定されている設定値が取り消され、前回の設定値に戻る。
【００４２】
以上により、管理者の管理者ＩＤ及びパスワードが認証されたときに、管理者が液晶表示部５１にロック設定画面９０を表示して「ウォーターマーク」９１ｈに「レ」を設定することで、ユーザーはウォーターマーク設定画面８０及びウォーターマーク簡易設定ロック状態表示画面１００からウォーターマーク情報の設定が不可となり、管理者のみが設定可能となる。また、管理者が「ウォーターマーク」９１ｈに「  」を設定することで、ユーザーはウォーターマーク設定画面８０及びウォーターマーク簡易設定ロック状態表示画面１００からウォーターマーク情報の設定が可能となる。このように、管理者がウォーターマーク設定画面８０またはウォーターマーク簡易設定ロック状態表示画面１００からウォーターマーク情報を設定し、管理者ロック設定画面９０からロック設定を行うことで、ユーザーはウォーターマークの設定変更ができなくなるので、ウォーターマークの画像を忘れずに原稿の画像に合成することができる。
また、管理者がウォーターマークのロック設定を行っているときに、ウォーターマーク設定画面８０及びウォーターマーク簡易設定ロック状態表示画面１００の背景はグレー表示され、ウォーターマーク簡易設定ロック状態表示画面１００の「ロック設定」１０４に「鍵」マークが表示される。管理者がウォーターマークのロック解除を行っているときに、ウォーターマーク設定画面８０及びウォーターマーク簡易設定ロック状態表示画面１００の背景のグレー表示は消去され、「ロック設定」１０４に「鍵」マークも消去される。このように、ウォーターマーク設定画面８０及びウォーターマーク簡易設定ロック状態表示画面１００により管理者がウォーターマークのロック設定を行っているかロック解除を行っているかを、ユーザーは容易に確認することができる。
【００４３】
なお、実施形態においては、画像形成装置１から印刷される全ての原稿に対して管理者がウォーターマークのロック設定またはロック解除を行う場合について説明したが、これに限定されない。例えば、管理者ロック設定画面９０などに原稿のタイトル、原稿の分類（仕様書、設計書、または見積書などの分類）、または印刷した原稿の配布先などの原稿情報を入力するエリアを設け、これらの原稿情報に基づいてウォーターマークの設定を行うか否かを決定することが可能である。更に、ウォーターマークの設定を行うときに、原稿情報により設定するウォーターマークを決定することも可能である。
【００４４】
また、実施形態においては、ユーザーが液晶表示部５１のタッチパネルを操作してウォーターマーク設定画面８０、管理者ロック設定画面９０、またはウォーターマーク簡易設定ロック状態表示画面１００を表示して設定値を設定するようにしたが、これに限定されない。例えば、図３に示すＰＣなどの周辺機器１１に画像形成装置１のプリントドライバーを搭載し、ユーザーはプリントドライバーを用いて周辺機器１１の表示パネルにウォーターマーク設定画面８０、管理者ロック設定画面９０、またはウォーターマーク簡易設定ロック状態表示画面１００を表示する。そして、ユーザーまたは管理者が、ウォーターマークプレビューを確認しながら設定項目に設定してから原稿の印刷要求を画像形成装置１に送信することも可能である。
【００４５】
また、ウォーターマーク設定画面８０、管理者ロック設定画面９０、またはウォーターマーク簡易設定ロック状態表示画面１００の設定項目と表示項目は、これに限定されない。ウォーターマーク情報が設定できれば他の設定項目と表示項目とすることも可能である。また、管理者がウォーターマークのロック設定を行っているときに表示される「ロック設定」１０４の鍵形状のマークについても、ロック設定されていることが確認できればこれに限定されない。また、管理者がウォーターマークのロック設定を行っているときに、ウォーターマーク設定画面８０及びウォーターマーク簡易設定ロック状態表示画面１００の背景をグレー表示したが、グレー以外の多様な色、メッシュ、反転、または模様など、ロック設定されていることが確認できればどのような背景を設定することも可能である。
【００４６】
このような本発明の画像形成装置は、原稿の画像に適切なウォーターマークの画像を忘れずに合成できる。
【００４７】
以上、具体的な実施の形態により本発明を説明したが、上記実施の形態は本発明の例示であり、この実施の形態に限定されないことは言うまでもない。
【産業上の利用可能性】
【００４８】
本発明は、画像形成装置に好適であるが、画像形成装置に限られるものではなく、ウォーターマーク機能を備える装置一般に適用できる。
【符号の説明】
【００４９】
１・・・・・画像形成装置
１ａ・・・・画像形成装置
２・・・・・原稿読取部
３・・・・・原稿給送部
４・・・・・本体部
５・・・・・操作部
６・・・・・記録部
７・・・・・制御部
８・・・・・記憶部
９・・・・・通信部
１０・・・・・ネットワーク
１１・・・・・周辺機器
１２・・・・・ルーター
１３・・・・・インターネット
２１・・・・・スキャナー
２２・・・・・プラテンガラス
２３・・・・・原稿読取スリット
２４・・・・・光源
２５・・・・・受光部
３１・・・・・原稿載置部
３２・・・・・原稿排出部
３３・・・・・原稿搬送機構
４１・・・・・給紙部
４２・・・・・給紙ローラー
４３・・・・・用紙搬送路
４４・・・・・レジストローラー
４５・・・・・排出ローラー
４６・・・・・排出空間
５１・・・・・液晶表示部
５２・・・・・操作ボタン
６１・・・・・感光体ドラム
６２・・・・・帯電部
６３・・・・・露光部
６４・・・・・画像形成部
６５・・・・・転写部
６６・・・・・定着部
６７・・・・・クリーニング部
７１・・・・・印刷実行処理部
８０・・・・・ウォーターマーク設定画面
８１・・・・・設定項目「ウォーターマーク選択」
８１ａ・・・・表示項目「ウォーターマーク一覧」
８１ｂ・・・・「新規」ボタン
８１ｃ・・・・「削除」ボタン
８２・・・・・設定項目「ウォーターマークテキスト」
８２ａ・・・・入力エリア「ウォーターマークテキスト」
８２ｂ・・・・設定項目「フォント」
８２ｃ・・・・設定項目「サイズ」
８２ｄ・・・・設定項目「太字」
８２ｅ・・・・設定項目「斜体」
８２ｆ・・・・設定項目「下線」
８２ｇ・・・・設定項目「カウント」
８２ｈ・・・・設定項目「スペース」
８３・・・・・設定項目「ウォーターマークオプション」
８３ａ・・・・設定項目「フォルダーパス」
８３ｂ・・・・設定項目「参照」
８３ｃ・・・・設定項目「色」
８３ｄ・・・・設定項目「スケーリング」
８３ｅ・・・・設定項目「自動」
８３ｆ・・・・設定項目「不透明度」
８４・・・・・設定項目「ウォーターマーク伸縮回転」
８４ａ・・・・設定項目「水平伸縮」
８４ｂ・・・・設定項目「垂直伸縮」
８４ｃ・・・・設定項目「傾き」
８４ｄ・・・・設定項目「中心回転」
８５・・・・・表示エリア「ウォーターマークプレビュー」
８６・・・・・設定項目「ウォーターマーク保存名」
８６ａ・・・・入力エリア「ウォーターマーク保存名」
８６ｂ・・・・「保存」ボタン
８７・・・・・設定項目「ページ選択」
８７ａ・・・・設定項目「ページパターン一覧」
８７ｂ・・・・入力エリア「ページ指定」
８７ｃ・・・・設定項目「表紙カバー印刷」
８８・・・・・「ＯＫ」ボタン
８９・・・・・「キャンセル」ボタン
９０・・・・・管理者ロック設定画面
９１・・・・・設定項目「ロック」
９１ａ・・・・設定項目「モノクロモード」
９１ｂ・・・・設定項目「エコポイント」
９１ｃ・・・・設定項目「両面印刷」
９１ｄ・・・・設定項目「ページ集約」
９１ｅ・・・・設定項目「アプリケーション情報」
９１ｆ・・・・設定項目「インデックスラベルセット」
９１ｇ・・・・設定項目「セキュリティセット」
９１ｈ・・・・設定項目「ウォーターマーク」
９２・・・・・「ＯＫ」ボタン
９３・・・・・「キャンセル」ボタン
１００・・・・ウォーターマーク簡易設定ロック状態表示画面
１０１・・・・設定項目「ウォーターマーク選択」
１０２・・・・表示エリア「ウォーターマークプレビュー」
１０２ａ・・・「追加」ボタン
１０２ｂ・・・「編集」ボタン
１０２ｃ・・・「削除」ボタン
１０３・・・・設定項目「ページ選択」
１０３ａ・・・入力エリア「ページ指定」
１０３ｂ・・・設定項目「表紙カバー印刷」
１０４・・・・表示エリア「ロック設定」
１０５・・・・「ＯＫ」ボタン
１０６・・・・「キャンセル」ボタン
【図１】
2015084498.tif 000003
【図２】
2015084498.tif 000004
【図３】
2015084498.tif 000005
【図４】
2015084498.tif 000006
【図５】
2015084498.tif 000007